(57)【特許請求の範囲】
【請求項１】
複数の基地局と少なくとも１つの移動局を含む無線通信システムにおける基地局であって、
ハンドオーバー先の基地局から、受信期間が同じで、非受信期間が異なる複数のＤＲＸサイクルの情報に基づいて決定されたＤＲＸ制御情報を受信し、
前記複数のＤＲＸサイクルの情報に基づいて決定されたＤＲＸ制御情報を、ハンドオーバー実行前に前記移動局に送信する、ことを特徴とする基地局。
【請求項２】
前記ＤＲＸサイクルを、前記移動局がＲＲＣ＿Ｃｏｎｎｅｃｔｅｄ状態の間に行うＤＲＸの設定値として通知する、ことを特徴とする請求項１の基地局。
【請求項３】
複数の基地局を含む無線通信システムにおける移動局であって、
第１の基地局から第２の基地局へハンドオーバーを行う手段と、
前記第２の基地局が送信した、受信期間が同じで非受信期間が異なる複数のＤＲＸサイクルの情報に基づいて決定されたＤＲＸ制御情報を、ハンドオーバー実行前に前記第１の基地局を介して受信する手段と、
を備える、ことを特徴とする移動局。
【請求項４】
受信した前記複数のＤＲＸサイクルの少なくとも１つに基づいて、ＲＲＣ＿Ｃｏｎｎｅｃｔｅｄ状態の間のＤＲＸ動作を行う、ことを特徴とする請求項３の移動局。
【請求項５】
複数の基地局を含む無線通信システムの移動局における通信制御方法であって、
第１の基地局から第２の基地局へハンドオーバーするときに、前記第２の基地局が送信した、受信期間が同じで非受信期間が異なる複数のＤＲＸサイクルの情報に基づいて決定されたＤＲＸ制御情報を、ハンドオーバー実行前に前記第１の基地局を介して受信する、ことを特徴とする通信制御方法。
【請求項６】
受信した前記複数のＤＲＸサイクルの少なくとも１つに基づいて、ＲＲＣ＿Ｃｏｎｎｅｃｔｅｄ状態の間のＤＲＸ動作を行う、ことを特徴とする請求項５の通信制御方法。
【発明の詳細な説明】
【技術分野】
【０００１】
（関連出願についての記載）本願は、先の日本特許出願２００７−０２５８７３号（２００７年２月５日出願）の優先権を主張するものであり、前記先の出願の全記載内容は、本書に引用をもって繰込み記載されているものとみなされる。
本発明は、無線通信システムに関し、特に、ソース基地局からターゲット基地局への基地局間ハンドオーバーを行う無線通信システムの移動局及び通信制御方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）  Ｌｏｎｇ  Ｔｅｒｍ  Ｅｖｏｌｕｔｉｏｎ（ＬＴＥ）では、移動局が基地局間ハンドオーバー（Ｈａｎｄｏｖｅｒ：「ＨＯ」とも略記される）を行う場合、ソース基地局（ｓｏｕｒｃｅ  ｅＮＢ）がターゲット基地局（ｔａｒｇｅｔ  ｅＮＢ）へ、基地局間ハンドオーバーを行う移動局に関する、以下のような情報（ＲＡＮ（Ｒａｄｉｏ  Ａｃｃｅｓｓ  Ｎｅｔｗｏｒｋ）  Ｃｏｎｔｅｘｔ  Ｄａｔａ）を転送することが検討されている（例えば非特許文献１参照）。
【０００３】
１．  ＱｏＳ  ｐｒｏｆｉｌｅｓ（ＱｏＳ  ｐｒｏｆｉｌｅｓ  ｏｆ  ｔｈｅ  ＳＡＥ（Ｓｙｓｔｅｍ  Ａｒｃｈｉｔｅｃｔｕｒｅ  Ｅｖｏｌｕｔｉｏｎ）  ｂｅａｒｅｒｓ）
２．  ＡＳ  ｃｏｎｆｉｇｕｒａｔｉｏｎ  （ＲＬＣ（Ｒａｄｉｏ  Ｌｉｎｋ  Ｃｏｎｔｒｏｌ）  Ｗｉｎｄｏｗ  Ｓｉｚｅなど）
【０００４】
さらに、ソース基地局は、下りデータ送信中の場合には、未送信データをターゲット基地局へ転送するデータフォアワーディング（Ｄａｔａ  Ｆｏｒｗａｒｄｉｎｇ）を行う。
【０００５】
ターゲットセルへ移った移動局は、上りチャネルであるランダムアクセスチャネル（Ｒａｎｄｏｍ  Ａｃｃｅｓｓ  Ｃｈａｎｎｅｌ：ＲＡＣＨ）を介してターゲット基地局にアクセスし、ターゲット基地局から、上りリンクの同期のための送信タイミング調整値（Ｔｉｍｉｎｇ  Ａｄｖａｎｃｅ：ＴＡ）と、上りリンクのスケジューリング情報を取得し、該取得したＴＡに従って送信タイミングを調整し、割り当てられた時間および周波数で、移動局がターゲット基地局へハンドオーバーして来たことを通知するための制御信号である「ＨＯ  Ｃｏｎｆｉｒｍ」を送信する。
【０００６】
また、ＬＴＥでは、ＲＲＣ（Ｒａｄｉｏ  Ｒｅｓｏｕｒｃｅｓ  Ｃｏｎｔｒｏｌ）＿Ｃｏｎｎｅｃｔｅｄ状態（非特許文献１参照）における移動局のＤＲＸ（Ｄｉｓｃｏｎｔｉｎｕｏｕｓ  Ｒｅｃｅｐｔｉｏｎ；「間歇受信」ともいう）制御も検討されている。
【０００７】
基地局は、自局が管理するセル内のすべての移動局のＤＲＸ制御を行い、移動局は基地局から指定された周期（「ＤＲＸサイクル」あるいは、「ＤＲＸ期間」ともいう）にしたがって間歇受信を行う。ＤＲＸサイクル（ＤＲＸ期間）は、例えば図１８に示すように、連続受信する期間である受信期間（ｒｅｃｅｐｔｉｏｎ）と、受信を行わない期間である非受信期間（ｎｏｎ−ｒｅｃｅｐｔｉｏｎ）を含む。
【先行技術文献】
【非特許文献】
【０００８】
【非特許文献１】3GPP TS36.300 v0.3.1 （Section 10.1その他）
【非特許文献２】3GPP RAN WG2 [R2-070088 Summary of email discussion on DRX in LTE_ACTIVE]    ＜インターネット  ＵＲＬ  http://www.3gpp.org/ftp/tsg_ran/WG2_RL2/TSGR2_56bis/Documents/R2-070088.zip＞
【発明の概要】
【発明が解決しようとする課題】
【０００９】
以上の非特許文献１、２の開示事項は、本書に引用をもって繰り込み記載されているものとする。以下に本発明による関連技術の分析を与える。
現在、ＬＴＥの基地局間ＨＯ制御とＤＲＸ制御をいかに組み合わせるかに関して検討がはじまったばかりである。このため、その制御の組み合わせ等において、移動局等の省電力化の向上等に関する具体的な方策等の検討はなされていないというのが実情である。
【００１０】
したがって、本発明は、上記課題に鑑みて創案されたものであって、その目的は、ハンドオーバー制御とＤＲＸ制御を組み合わせるにあたり、移動局の省電力を実現可能とする通信制御方法、基地局、および移動局を提供することにある。
【００１１】
したがって、本発明の他の目的は、ハンドオーバー制御等によるネットワーク側の負荷増大を抑制するかあるいは低減可能とする通信制御方法、基地局、および移動局を提供することにある。
【課題を解決するための手段】
【００１２】
本願で開示される発明によれば、上記課題を解決するため、概略以下の構成の、通信制御方法、基地局、および移動局が提供される。
【００１３】
本発明によれば、複数の基地局と少なくとも１つの移動局を含む無線通信システムにおける基地局であって、受信期間が同じで、非受信期間が異なる複数のＤＲＸ  ｃｙｃｌｅを決定し、当該ＤＲＸ  ｃｙｃｌｅを移動局へ通知する基地局が提供される。
【００１４】
本発明によれば、複数の基地局と少なくとも１つの移動局を含む無線通信システムにおける移動局であって、前記基地局から通知された受信期間が同じで、非受信期間が異なる複数のＤＲＸ  ｃｙｃｌｅを用いて受信制御を行う移動局が提供される。
【００１５】
本発明によれば、複数の基地局と少なくとも１つの移動局を含む無線通信システムの移動局における通信制御方法であって、前記移動局に、受信期間が同じで、非受信期間が異なる複数のＤＲＸ  ｃｙｃｌｅを用いて受信制御を行う通信制御方法が提供される。
【００１６】
本発明の形態においては、ハンドオーバーの間、ソース基地局（ｓｏｕｒｃｅ  ｅＮＢ）は、ハンドオーバー前後のＤＲＸ制御の継続を最適化するために、ターゲット基地局（ｔａｒｇｅｔ  ｅＢＮ）へ、ドーマンシ・コンテキスト（Ｄｏｒｍａｎｃｙ  Ｃｏｎｔｅｘｔ）を転送（ｆｏｒｗａｒｄ）する。移動局がハンドオーバーを完了した後、ターゲット基地局（ｔａｒｇｅｔ  ｅＢＮ）は、Ｄｏｒｍａｎｃｙ  Ｃｏｎｔｅｘｔを使用して、移動局のＤＲＸ制御を行う。ターゲット基地局（ｔａｒｇｅｔ  ｅＢＮ）は、移動局（Ｕｓｅｒ  Ｅｑｕｉｐｍｅｎｔ：ＵＥ）がソースセルで長いＤＲＸサイクルに滞在していたならば、移動局（ＵＥ）の状態をＬＴＥ＿Ｉｄｌｅに移すといった処理にも、ドーマンシコテキストを使用することができる。
【００１７】
本発明の形態において、ドーマンシ・コンテキスト（Ｄｏｒｍａｎｃｙ  Ｃｏｎｔｅｘｔ）としては、
現在（ＨＯ要求が生じた時点）のＤＲＸ（Ｄｉｓｃｏｎｔｉｎｕｏｕｓ  Ｒｅｃｅｐｔｉｏｎ）レベル、
現在のＤＲＸレベルに滞在した時間、
ソース基地局が管理している間の平均ＤＲＸレベル、
ソース基地局が管理している間の最大ＤＲＸレベル、
ソース基地局が管理している間の最小ＤＲＸレベル、
ＨＯ準備期間の送信バッファサイズ、及び、
ソース基地局にスケジューリングされた時間／ソース基地局で、ＲＲＣ＿Ｃｏｎｎｅｃｔｅｄの状態にいた時間、
のうち少なくとも１つを含む。なお、本発明の形態におけるソース基地局とターゲット基地局は、同じ通信システムの基地局だけでなく、異なるシステムの基地局でもよい。
【発明の効果】
【００１８】
本発明によれば、ハンドオーバー前後のＤＲＸ制御の継続を最適化可能としている。本発明によれば、例えばＡｃｔｉｖｉｔｙの低い移動局に対して、より短い時間でＤＲＸ制御を開始することができる。この結果、移動局の電力削減を実現することができる。
【００１９】
また、本発明によれば、さらにＡｃｔｉｖｉｔｙが低い移動局に対して、より短い時間でＩｄｌｅ状態へ遷移させることができる。この結果、移動局の電力削減を可能としている。さらに、本発明によれば、本来は不必要である基地局間ＨＯを回避することができるため、ネットワークの負荷の増加も回避することができる。
【図面の簡単な説明】
【００２０】
【図１】本発明の一実施形態における基地局間ハンドオーバーの流れを説明するための図である。
【図２】本発明の一実施形態における基地局間ハンドオーバーを説明するための図である。
【図３】本発明の一実施形態における基地局間ハンドオーバー後の移動局の活動レベルの制御を説明するための図である。
【図４】本発明の一実施形態における基地局間ハンドオーバー後の移動局の活動レベルの制御を説明するための図である。
【図５】本発明の一実施形態における基地局間ハンドオーバー後の移動局の活動レベルの制御を説明するための図である。
【図６】本発明の第１の実施例における移動局の活動レベルの制御を説明するための図である。
【図７】本発明の第１の実施例における移動局の省電力効果を説明するための図である。
【図８】本発明の第２の実施例における移動局の活動レベルの制御を説明するための図である。
【図９】本発明の第２の実施例における移動局の省電力効果およびＮＷ負荷の低減効果を説明するための図である。
【図１０】本発明の一実施形態における移動局の活動レベルの制御を説明するための図である。
【図１１】基地局間ハンドオーバーの流れを説明するための図である。
【図１２】実施例における移動局の活動レベルの制御を説明するための図である。
【図１３】実施例における移動局の動作を説明するための図である。
【図１４】本発明の一実施例の基地局の構成の一例を示す図である。
【図１５】本発明の一実施例の移動局の構成の一例を示す図である。
【図１６】本発明の別の実施例の移動局の構成の一例を示す図である。
【図１７】本発明の別の実施例のＨＯを説明する図である。
【図１８】ＤＲＸサイクルを説明する図である。
【図１９】本発明の一実施形態の変形例における基地局間ハンドオーバーの流れを説明するための図である。
【発明を実施するための形態】
【００２１】
上記した本発明についてさらに詳細に説述すべく添付図面を参照して、本発明の実施の形態を以下に説明する。特に制限されないが、以下の実施の形態では、本発明を、３ＧＰＰ  ＬＴＥで検討されているシステムに実施した例に即して説明する。
【００２２】
ハンドオーバー（「ＨＯ」と略記される）時のＤＲＸ（Ｄｉｓｃｏｎｔｉｎｕｏｕｓ  Ｒｅｃｅｐｔｉｏｎ；間歇受信）制御の一例として、基地局は、移動局のデータの送受信状況（「Ａｃｔｉｖｉｔｙ」という）に応じて、非受信期間（ｎｏｎ−ｒｅｃｅｐｔｉｏｎ）等のＤＲＸサイクルに係るパラメータ（図１８参照）を変更する。なお、ここでは３GPP  LTEの一例を用いて説明しているので基地局が変更するものとしているが、３GPPの基地局制御装置（RNC）などのネットワーク側で変更するものとしても良い。Ａｃｔｉｖｉｔｙの度合い（程度）を表す指標として、例えば「Ａｃｔｉｖｉｔｙレベル」という指標を導入することができる。これは、例えば予め定められた期間（Ｔとする）において、送信バッファにデータで蓄積されている時間（Ｔｓとする）の比率（％表示の場合、（Ｔｓ／Ｔ）ｘ１００（％））を用いることができる。なお、本発明において、Ａｃｔｉｖｉｔｙレベルは、（Ｔｓ／Ｔ）ｘ１００に制限されるものでなく、（Ｔｓ／Ｔ）ｘ１００以外にも、（Ｔｓ／Ｔ）と相関関係にある他の値（変換値）を用いてもよい。
【００２３】
上記したように、「Ａｃｔｉｖｉｔｙ」、「Ａｃｔｉｖｉｔｙレベル」に関して具体的な一例を説明したが、本願明細書において、「Ａｃｔｉｖｉｔｙ」、「Ａｃｔｉｖｉｔｙレベル」の定義は、上記に制限されるものでないことは勿論であり、一般的なデータ送受信状況やその頻度を意味するものと理解されるべきものである。
【００２４】
基地局又は移動局は、ＤＲＸ制御のために用いる信号として、Ａｃｔｉｖｉｔｙレベル等に基づいて得られる「ＤＲＸレベル」という指標を用いてもよい。Ａｃｔｉｖｉｔｙレベルの値をそのままＤＲＸレベルとしてもよいし、Ａｃｔｉｖｉｔｙレベル値に変換を施して得られた値（好ましくは、Ａｃｔｉｖｉｔｙレベルの値と相関の高い値）をＤＲＸレベルとして用いてもよい。ＤＲＸレベルは％表示を用いてもよい。この場合、例えば０〜１００％の範囲の値は、通常、離散値（例えば整数値）が用いられるが、小数等の連続値であってもよいことは勿論である。あるいは、ＤＲＸレベルとして、いくつかの離散的な代表値をとり得るようにしてもよい。
【００２５】
以下では、まず、ＬＴＥの基地局間ＨＯと、ＤＲＸ制御を組み合わせた動作の１例として、
・移動局が、ソース基地局にメジャメントレポート（Ｍｅａｓｕｒｅｍｅｎｔ  Ｒｅｐｏｒｔ）を送信し、
・ソース基地局が、メジャメントレポートをみて、どの基地局をターゲット基地局候補とするかを決定し、ソースとターゲットの基地局間でハンドオーバーの可否の情報交換を行う、
という一連の動作が行われるＨＯ準備期間における、移動局のＤＲＸ制御について検討してみる。
【００２６】
例えば、ＤＲＸ制御により非受信（ｎｏｎ−ｒｅｃｅｐｔｉｏｎ）期間が長く設定された移動局は、現在設定されているＤＲＸ制御を無視して、アクティブ（Ａｃｔｉｖｅ）動作（移動局がダウンリンク信号を連続的に受信可能な状態）に移り、非受信（ｎｏｎ−ｒｅｃｅｐｔｉｏｎ）期間が短く設定された移動局は、短い非受信（ｎｏｎ−ｒｅｃｅｐｔｉｏｎ）期間のまま、ＨＯを行う方法が知られている（例えば非特許文献２参照）が、その具体的実現方法は示されていなかった。そこで、以下ではその具体的実現方法を示す。
【００２７】
以下に、図１１を参照して、ＤＲＸ制御中の移動局の基地局ＨＯの手順を示す。
【００２８】
ターゲット基地局から上りリンクのスケジューリング情報（ＵＬ  ａｌｌｏｃａｔｉｏｎ）が移動局に送信される。基地局間ＨＯを行う移動局は、滞在するソースセルの周辺セルに関するメジャメントレポート（Ｍｅａｓｕｒｅｍｅｎｔ  Ｒｅｐｏｒｔ）をソース基地局へ送信する。
【００２９】
ソース基地局は、移動局に対して、ＤＲＸ（間歇受信）から連続的な受信動作へと移ること（あるいはＤＲＸサイクルの非受信期間を短縮する）を指示する信号（ＤＲＸ  Ｃｏｎｔｒｏｌ  Ｓｉｇｎａｌｉｎｇ）を送信し、移動局のＤＲＸ制御を停止する。なお、図１１に示すシーケンス動作例では、メジャメントレポート（Ｍｅａｓｕｒｅｍｅｎｔ  Ｒｅｐｏｒｔ）を受け取った基地局が移動局にＤＲＸ制御を停止する信号を出力しているが、メジャメントレポート（Ｍｅａｓｕｒｅｍｅｎｔ  Ｒｅｐｏｒｔ）を受け取った基地局は、必ずしも、移動局にＤＲＸ制御を停止する信号を出力する構成とする必要はない。例えば、予めルールを決めて、移動局が自分でＤＲＸ動作を停止するようにしてもよい。
【００３０】
ソース基地局は、ターゲット基地局へ、移動局のＲＡＮ  Ｃｏｎｔｅｘｔ  Ｄａｔａ（ＱｏＳ  Ｐｒｏｆｉｌｅ、  ＡＳ  ｃｏｎｆｉｇｕｒａｔｉｏｎ）を転送する。
【００３１】
ソース基地局は、ターゲット基地局からＨＯ受け入れが可能であることの通知（（Ｃｏｎｔｅｘｔ  Ｃｏｎｆｉｒｍ）を受け取った後、移動局に対してＨＯ開始を許可するコマンド（ＨＯ  Ｃｏｍｍａｎｄ）を送信する。
【００３２】
移動局は、ソース基地局からＨＯ開始コマンド（ＨＯ  Ｃｏｍｍａｎｄ）を受信した後、ターゲットセルにおいて、上りチャネルであるＲＡＣＨにて上りリンク同期（ＵＬ  Ｓｙｎｃｈｒｏｎｉｚａｔｉｏｎ）を送信し、ターゲット基地局から、送信タイミング調整値（Ｔｉｍｉｎｇ  Ａｄｖａｎｃｅ：ＴＡ）と上りリンクのスケジューリング情報（ＵＬ  ａｌｌｏｃａｔｉｏｎ）を取得する。
【００３３】
そして、移動局は、ターゲット基地局からの送信タイミング調整値（ＴＡ）に従って送信タイミングを調整して割り当てられた時間および周波数でＨＯ  Ｃｏｎｆｉｒｍを送信し、ターゲット基地局へハンドオーバーして来たことを通知する。
【００３４】
移動局からのＨＯ  Ｃｏｎｆｉｒｍを受け取ったターゲット基地局は、ハンドオーバーの完了を伝える制御信号（ＨＯ  Ｃｏｍｐｌｅｔｅｄ）を、ソース基地局へ送信し、ＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）へ、移動局が基地局間ＨＯにより、自分が管理するセルに移動したことを通知し（ＵＥ（Ｕｓｅｒ  Ｅｑｕｉｐｍｅｎｔ）  ｕｐｄａｔｅ  ｔｏ  ＭＭＥ／ＵＰＥ）、これにより基地局間ＨＯ動作が完了する。なお、この時点では、移動局はまだＡｃｔｉｖｅ動作を行っている。
【００３５】
ターゲット基地局は、ハンドオーバーして来た移動局が予め定められた期間（ターゲット基地局側で内蔵するタイマーで判断）データ送受信を行わなかった場合には、移動局に対するＤＲＸ制御をリスタートする。
【００３６】
ターゲット基地局から上りリンクのスケジューリング情報（ＵＬ  ａｌｌｏｃａｔｉｏｎ：時間と周波数の割り当て情報）が移動局に送信され、移動局がデータを送信する（ＵＬ  ｄａｔａ  ｔｒａｎｓｍｉｓｓｉｏｎ）。
【００３７】
以上のように、ＨＯとＤＲＸを組み合わせた移動局の制御が行われる。
【００３８】
図１２は、図１３のＤＲＸ滞在時間の算出を説明するための図であり、図１２に、ＤＲＸ動作中の移動局が、基地局間ＨＯを行う場合のＤＲＸレベルの変化の例を示している。移動局は、各セル内においてセル中心を通り直径と同じ距離だけ移動するものとする。
【００３９】
図１２の例では、
ＤＲＸレベルが、
１００％のときを「Ａｃｔｉｖｅ」、
２０％のときを、「ＤＲＸ」
と呼ぶことにする。なお、図１２において、ＤＲＸレベルが０％の状態のアイドル（Ｉｄｌｅ）は、ＲＲＣ＿Ｉｄｌｅ（ＬＴＥ＿Ｉｄｌｅ）状態である。
【００４０】
ＤＲＸレベルが１００％をＡｃｔｉｖｉｔｙ  Ｌｅｖｅｌが１００％の場合として３ＧＰＰ  ＬＴＥを例として説明すると、１フレームを１０  ＴＴＩ（Ｔｒａｎｓｍｉｓｓｉｏｎ  Ｔｉｍｅ  Ｉｎｔｅｒｖａｌ）とすると、ＤＲＸ  Ｌｅｖｅｌが１００％（すなわち、Ａｃｔｉｖｅ動作）の移動局は、毎ＴＴＩに、ダウンリンク（ＤＬ）信号をモニタ（制御チャネルを復調）する。一方、ＤＲＸ  Ｌｅｖｅｌが２０％の移動局は、１０ＴＴＩ中の連続する２ＴＴＩだけＤＬ信号をモニタし、残りの８ＴＴＩは非受信期間となってモニタしない。なお、ＤＲＸレベルが１００％より小の値、例えば９０％、あるいは９５％等を、「Ａｃｔｉｖｅ」として定義してもよいことは勿論である。
【００４１】
図１２の例では、Ｃｅｌｌ  １を基地局１が管理し、同様に、Ｃｅｌｌ  ２、３、４を基地局２、３、４がそれぞれ管理する。また、移動局は、Ｃｅｌｌ  ２、３、４においてＨＯ動作以外のデータ送受信を行わないものとする。ＤＲＸ  Ｌｅｖｅｌの推移を太線で示す。
【００４２】
図１２において、ＸはＨＯ時に移動局がＡｃｔｉｖｅの時間、Ｙは、ＤＲＸ制御が行われる時間（ＤＲＸ滞在）である。
【００４３】
移動局がＣｅｌｌ  １に滞在しＤＲＸであるとする。Ｃｅｌｌ  ２へ基地局間ＨＯを行うとき、この移動局は、Ａｃｔｉｖｅになり、ＨＯ動作を行う。Ｃｅｌｌ  ２において移動局は、ＨＯ後にデータ送受信を行わないため、基地局２はＡｃｔｉｖｅからＤＲＸへの遷移時間に相当するタイマーのタイムアウト発生後で、移動局を、ＡｃｔｉｖｅからＤＲＸへ移す。以降、移動局は、Ｃｅｌｌ  ２からＣｅｌｌ  ３、Ｃｅｌｌ  ４、Ｃｅｌｌ  ５へと次々にＨＯを行うが、このときの動作はＣｅｌｌ  １からＣｅｌｌ  ２へＨＯした場合と同じである。
【００４４】
ＨＯ時、移動局がＡｃｔｉｖｅからＤＲＸへ移行する遷移時間が１分（図１２のＸ＝１分）であり、移動局が３０分間データ送受信を断続的に行うことを想定した場合の、３０分間にＤＲＸに滞在する時間について、移動速度、セル直径等のパラメータを変えた例を、図１３に表形式で示す。
【００４５】
なお、ＨＯに要する時間は、数１０ｍｓｅｃでセル滞在時間に比べ十分短いため、この時間は無視して算出している。
【００４６】
なお、図１３では、移動局のデータ送受信状況はＤＲＸ制御を受ける程度のものである（Ａｃｔｉｖｅに設定する必要ない）ことを想定している。また図１２、図１３では、Ｃｅｌｌ  １〜Ｃｅｌｌ  ５は、互いに境界を接して並置され、移動局は、複数セルの直径に沿った一直線上を、等速度で進行するというモデルを想定している。
【００４７】
図１３において、例えば移動局の移動速度が１２０ｋｍ／ｈ（＝２ｋｍ／分）でセル半径が６ｋｍ（セル直径＝１２ｋｍ）の場合、
各セルに滞在する時間は、１２ｋｍ／２ｋｍ＝６分（図１２のＸ＋Ｙ＝６分）であり、
ＨＯ回数は４回
であるため、
３０分間では、５（＝４＋１）セルにまたがり、各セルにおいて、５（＝６−１）分間ずつ、ＤＲＸに滞在する（すなわち、図１２において、Ｘ＝１分、Ｙ＝５分）。
【００４８】
従って、３０分の間に、ＤＲＸサイクルに滞在する時間は、５×５＝２５分となる。
【００４９】
一方、移動速度が６０ｋｍ／ｈで、セル直径が１ｋｍの場合、各セルの滞在時間と、ＡｃｔｉｖｅからＤＲＸサイクルへの遷移時間が、同じ１分であるため、この移動局は、３０分間ＤＲＸに移ることはない。
【００５０】
すなわち、図１２において、Ｘ＝１分、Ｘ＋Ｙ＝１分より、Ｙ＝０分となり、ターゲットセルでのＤＲＸ制御が開始されないまま、早くも次のＨＯ動作に移り、結局、Ｃｅｌｌ  １〜Ｃｅｌｌ  ５を進行する間、ＤＲＸ制御が行われないまま、４回のＨＯが行われる。
【００５１】
このように、Ａｃｔｉｖｉｔｙが低い移動局が１つのセルに滞在する時間が、ＤＲＸサイクルへの遷移時間（この時間は例えば基地局側のタイマー等で管理される）よりも短い場合には、当該セル内にて、ＤＲＸサイクルへの遷移ができないため、移動局は余分な電力を消費する。
【００５２】
同様に、セルに滞在する時間が、ＲＲＣ＿Ｉｄｌｅ状態へ遷移時間よりも短い場合には、ＲＲＣ＿Ｉｄｌｅ状態への遷移ができないため、移動局は余分な電力を消費する。さらに、この場合、Ａｃｔｉｖｉｔｙが低く、ＲＲＣ＿Ｉｄｌｅ状態にできる移動局が、本来は不必要であるＨＯを繰り返すことにより、ネットワーク（基地局、ＵＰＥ／ＭＭＥ）の負荷が必要以上に増加することにもなり、さらなる改善の余地が残されている。
【００５３】
本発明の別の側面の実施形態は、基地局間ＨＯ後のターゲットセルにおける移動局のＤＲＸ制御を、例えばＨＯ完了と同時に開始し、ターゲットセルでの移動局の余分な電力消費の発生を抑え、不必要なＨＯの繰り返しを避けることで、ネットワークの負荷の低減を図るものである。特に制限されないが、以下の実施の形態でも、本発明を３ＧＰＰ  ＬＴＥで検討されているシステムに実施した例を説明する。
【００５４】
図１と図２は、本実施の形態において、ＤＲＸ動作を行っている移動局の基地局間ＨＯの流れ（シーケンスダイアグラム）とシステム構成概念を示す図である。
【００５５】
ソース基地局（１０１）から上りリンクのスケジューリング情報（ＵＬ  ａｌｌｏｃａｔｉｏｎ）が移動局（１０３）に送信され、移動局（１０３）は基地局間ＨＯを行うにあたり、まず滞在するソースセルの周辺セルに関するメジャメントレポート（Ｍｅａｓｕｒｅｍｅｎｔ  Ｒｅｐｏｒｔ）をソース基地局（１０１）へ送信する。
【００５６】
ソース基地局（１０１）は、移動局（１０３）へ、ＤＲＸ動作からＡｃｔｉｖｅ動作へと移ることを指示する信号（ＤＲＸ  Ｃｏｎｔｒｏｌ  Ｓｉｇｎａｌｉｎｇ）を送信し、移動局（１０３）のＤＲＸ制御を停止する。
【００５７】
ソース基地局（１０１）は、ターゲット基地局（１０２）へ、移動局（１０３）のＱｏＳ  Ｐｒｏｆｉｌｅ、ＡＳ  Ｃｏｎｆｉｇｕｒａｔｉｏｎのほか、ドーマンシ・コンテキスト（Ｄｏｒｍａｎｃｙ  Ｃｏｎｔｅｘｔ）を転送する。
【００５８】
ソース基地局（１０１）は、ターゲット基地局（１０２）からＨＯ受け入れが可能であるこの通知信号（Ｃｏｎｔｅｘｔ  Ｃｏｎｆｉｒｍ）を受信後、移動局（１０３）へＨＯ開始を許可する信号（ＨＯ  Ｃｏｍｍａｎｄ）を送信する。
【００５９】
移動局（１０３）は、ソース基地局（１０１）からの制御信号（ＨＯ  Ｃｏｍｍａｎｄ）を受信した後、上りチャネルであるＲＡＣＨ（Ｒａｎｄｏｍ  Ａｃｃｅｓｓ  Ｃｈａｎｅｎｌ）にてターゲット基地局（１０２）にアクセスし、ターゲット基地局（１０２）から送信タイミング調整値（Ｔｉｍｉｎｇ  Ａｄｖａｎｃｅ：ＴＡ）と上りリンクのスケジューリング情報（ＵＬ  Ａｌｌｏｃａｔｉｏｎ）を取得する。
【００６０】
移動局（１０３）は、送信タイミング調整値（ＴＡ）に従って送信タイミングを調整し、割り当てられた時間および周波数で、信号（ＨＯ  Ｃｏｎｆｉｒｍ）を、ターゲット基地局（１０２）へ送信し、ＨＯして来たことを通知する。
【００６１】
ターゲット基地局（１０２）は、制御信号（ＨＯ  Ｃｏｍｐｌｅｔｅｄ）をソース基地局（１０１）へ送信し、ＭＭＥ／ＵＰＥ（１０４）へ、移動局（１０３）が基地局間ＨＯにより自分が管理するセルに移動したことを通知し（ＵＥ  ｕｐｄａｔｅ  ｔｏ  ＭＭＥ／ＵＰＥ）、これにより基地局間ＨＯ動作が完了する。
【００６２】
ＨＯ動作完了後、ターゲット基地局（１０２）は、ソース基地局（１０１）より転送された、移動局のソースセルでの、
ＱｏＳ  Ｐｒｏｆｉｌｅ；
ＡＳ  Ｃｏｎｆｉｇｕｒａｔｉｏｎ；
Ｄｏｒｍａｎｃｙ  Ｃｏｎｔｅｘｔ；
ＵＰＥ（Ｕｓｅｒ  Ｐｌａｎｅ  Ｅｎｔｉｔｙ）から到着したパケット量；
ターゲット基地局（１０２）の持つ内部的な情報；
のうち、少なくとも、ドーマンシ・コンテキスト（Ｄｏｒｍａｎｃｙ  Ｃｏｎｔｅｘｔ）を用いて、移動局（１０１）のＤＲＸ制御を行い、適切なＤＲＸ動作に移す信号（Ｅａｒｌｙ  ＤＲＸ  Ｃｏｎｔｒｏｌ  Ｓｉｇｎａｌｉｎｇ）を送信する。
【００６３】
ここで、ドーマンシ・コンテキスト（Ｄｏｒｍａｎｃｙ  Ｃｏｎｔｅｘｔ）として、
（Ａ）現在のＤＲＸレベル；
（Ｂ）現在のＤＲＸレベルに滞在した時間；
（Ｃ）ソースセルでの平均ＤＲＸレベル；
（Ｄ）ソースセルでの最大ＤＲＸレベル；
（Ｅ）ソースセルでの最小ＤＲＸレベル；
（Ｆ）ＨＯ準備期間の送信バッファサイズ；
（Ｇ）ソースセルでスケジューリングされた時間／ソースセルでＲＲＣ＿Ｃｏｎｎｅｃｔｅｄにいた時間；
等を用いることができる。
【００６４】
なお、本実施例では、ＤＲＸレベルに対応して、ＤＲＸサイクル（ＤＲＸ期間）は規定されるものとしているが、ＤＲＸサイクルの長さは、ＤＲＸレベルに応じて、基地局が、その都度決定するようにしてもよい。あるいは、基地局や移動局に、ＤＲＸレベルとＤＲＸサイクル（ＤＲＸ期間）の対応表を具備しておき、該対応表を参照して、ＤＲＸサイクル（ＤＲＸ期間）を決定してもよい。ＤＲＸレベルの値が高いものほど、ＤＲＸサイクル中の非受信期間の割合が、受信期間の割合よりも低くなるように設定されていることが望ましい。この対応を前提として、以下の実施形態で説明が行われるが、必ずしもこのような設定に限るものではない。
【００６５】
本発明において可能とされるＤＲＸ制御として、例えば下記の手法がある。
【００６６】
（I）ＤＲＸサイクル（ＤＲＸ期間）は固定とし、その内の受信期間と非受信期間の割合を調節する。
【００６７】
（II）受信期間を固定として非受信期間を調節する。同時に、ＤＲＸサイクル（ＤＲＸ期間）の長さも変化する。
【００６８】
（III）受信期間と非受信期間の比を固定とし、ＤＲＸサイクル（ＤＲＸ期間）を調節する。
【００６９】
以下に、それぞれを用いた場合の基地局間ＨＯ後のターゲットセルにおける移動局のＤＲＸレベルであるＬＮＥＷを決定する方法を示す。
【００７０】
（Ａ）ドーマンシ・コンテキスト（Ｄｏｒｍａｎｃｙ  Ｃｏｎｔｅｘｔ）として、現在（ＨＯ要求時点のソースセルで）のＤＲＸレベル（＝ＬＯＬＤ）を用いる場合、式（１）からＬＮＥＷを決定する（図３）。
0005413991.tif 000002
【００７１】
ここで、Ｍは予め定義したマージンであり、固定値である。図３に示す例では、Ｍ＝２５％とし、ＬＯＬＤ＝２５％からＬＮＥＷ＝５０％としている。
【００７２】
（Ｂ）ドーマンシ・コンテキスト(ＤＯＲＭＡＮＣＹ  ＣＯＮＴＥＸＴ)として、現在のＤＲＸ滞在時間Ｔと現在のＤＲＸレベルを用いる場合、式（２）、（３）から、ＬＮＥＷを決定する（図４）。
0005413991.tif 000003
【００７３】
0005413991.tif 000004
【００７４】
ここで、Ｍ１、Ｍ２は予め定義したマージンであり、Ｍ１＜Ｍ２である。Ｔ０は予め定義したマージンの選択を行うための閾値である。
【００７５】
現在のＤＲＸ滞在時間Ｔが閾値時間Ｔ０以上の場合、マージンＭＴをＭ１、ＴがＴ０未満の場合、ＭＴをＭ２とし、ＬＯＬＤにＭＴを加算した値をＬＮＥＷとしている。
【００７６】
（Ｃ）ドーマンシ・コンテキスト(ＤＯＲＭＡＮＣＹ  ＣＯＮＴＥＸＴ)として、ソースセルでの平均ＤＲＸレベル（＝ＬＡＶＥ）を用いる場合、式（４）からＬＮＥＷを決定する。
0005413991.tif 000005
【００７７】
ここで、ＤＲＸレベルとして整数値を用いる場合、ＬＡＶＥは、
0005413991.tif 000006
以上（または以下）、かつ最も近い値であり、ＭＡＶＥは予め定義した固定のマージンである。
【００７８】
（Ｄ）ドーマンシ・コンテキスト（ＤＯＲＭＡＮＣＹ  ＣＯＮＴＥＸＴ）として、ソースセルでの最大ＤＲＸレベル（＝ＬＭＡＸ）を用いる場合、式（６）からＬＮＥＷを決定する。
0005413991.tif 000007
【００７９】
ここで、ＭＭＡＸは予め定義したマージンで、固定値である。
【００８０】
（Ｅ）ドーマンシ・コンテキスト（ＤＯＲＭＡＮＣＹ  ＣＯＮＴＥＸＴ）として、ソースセルでの最小ＤＲＸレベル（＝ＬＭＩＮ）を用いる場合、式（７）からＬＮＥＷを決定する。
0005413991.tif 000008
【００８１】
ここで、ＭＭＩＮは予め定義したマージンで、固定値である。
【００８２】
（Ｆ）ドーマンシ・コンテキスト（ＤＯＲＭＡＮＣＹ  ＣＯＮＴＥＸＴ）として、ソースセルにおけるＨＯ準備期間でのソース基地局の送信バッファサイズ（ＳＢＵＦ）を用いる場合、式（８）のように、予めＫ個の閾値とＫ−１個のＤＲＸレベルの関係を定義して、ＬＮＥＷを決定する（図５）。
0005413991.tif 000009
【００８３】
図５（Ａ）の例では、ＬＯＬＤが２５％のとき、ソースセルにおけるＨＯ準備期間のソース基地局の送信バッファサイズＳＢＵＦがＳ１≦ＳＢＵＦ≦Ｓ２であるため、図５（Ｂ）のバッファ閾値とＬＮＥＷの対応表から、ＬＮＥＷ＝５０％としている。なお、バッファ閾値とＬＮＥＷの対応表は、基地局内のコントローラが参照可能なメモリ（書き換え可能な不揮発性メモリ等）に保持される。
【００８４】
（Ｇ）ドーマンシ・コンテキスト（ＤＯＲＭＡＮＣＹ  ＣＯＮＴＥＸＴ）として、ソースセルでスケジューリングされた時間／ソースセルでＲＲＣ＿Ｃｏｎｎｅｃｔｅｄの状態にいた時間（ＲＳＣＲ）を用いる場合、式（９）のように、予めＫ個の閾値とＫ−１個のＤＲＸレベルの関係を定義して、ＬＮＥＷを決定する。
0005413991.tif 000010
【００８５】
（Ｈ）ドーマンシ・コンテキスト（ＤＯＲＭＡＮＣＹ  ＣＯＮＴＥＸＴ）として、上記のうち複数（Ｊ個）を用いる場合、式（１０）からＬＮＥＷを決定する。
0005413991.tif 000011
【００８６】
ここで、ｗｊは、ｊ番目のＤＯＲＭＡＮＣＹ  ＣＯＮＴＥＸＴから決まるＬＮＥＷ，ｊに対する重みであり、以下の関係を満たす。
0005413991.tif 000012
・・・（１１）
【００８７】
以下、いくつかの実施例に即して説明する。
【００８８】
＜第１の実施例＞
図６、図７は、本発明の第１の実施例を説明するための図である。第１の実施例として、ドーマンシ・コンテキスト（ＤＯＲＭＡＮＣＹ  ＣＯＮＴＥＸＴ）として、現在のＤＲＸサイクルを用いて、以下の式（１２）（上式（１）と同じ）によりターゲットセルにおけるＨＯ完了期間における移動局のＤＲＸレベルを決定する場合の例を示す。
0005413991.tif 000013
【００８９】
なお、本実施例ではＭ＝０、つまり、ＨＯ完了期間におけるターゲットセルでのＤＲＸレベルをＨＯ動作開始直前のソースセルでのＤＲＸレベルと同じ状態にする。
【００９０】
本実施例において、移動局のＤＲＸレベルが
１００％のときを「Ａｃｔｉｖｅ」、
６０％のときを「Ｓｈｏｒｔ  ＤＲＸ」、
２０％のときを「Ｌｏｎｇ  ＤＲＸ」、
０％のときを「Ｉｄｌｅ」
と呼ぶ。なお、前述したように、ＤＲＸレベルが１００％以下、例えば９０％のときを「Ａｃｔｉｖｅ」と定義してもよい。例えば「Ｓｈｏｒｔ  ＤＲＸ」による制御では、ＤＲＸサイクルにおける非受信期間の割合が、「Ｌｏｎｇ  ＤＲＸ」の非受信期間の割合よりも短く設定される。
【００９１】
ここで、４つのセルＣｅｌｌ  １、２、３、４があり、各セルと基地局の関係として、Ｃｅｌｌ  １、２、３、４を、基地局１、２、３、４がそれぞれ管理するものとする。
【００９２】
また、移動局は、Ｃｅｌｌ  １、２、３、４へ順にＨＯを行い、Ｃｅｌｌ  ２、３、４において、ＨＯ動作以外のデータ送受信を行わないものとする。
【００９３】
ＤＲＸ動作の移動局の基地局間ＨＯにおいて、本発明を用いた場合のＤＲＸレベルの変化が、図６のようになったものとする。
【００９４】
初期状態として、高速移動をしている移動局がＣｅｌｌ  １に滞在し、Ｌｏｎｇ  ＤＲＸであるとする。Ｃｅｌｌ  ２へ基地局間ＨＯを行うとき、この移動局は、Ａｃｔｉｖｅになり、ＨＯ動作を行う。
【００９５】
本実施例では、ＨＯ完了期間のターゲットセルにおける移動局のＤＲＸレベルを、ソースセルでのＤＲＸレベルと同じにするため、ＨＯ完了期間のＣｅｌｌ  ２における移動局のＤＲＸレベルを、Ｃｅｌｌ  １におけるＤＲＸレベルと同じく、Ｌｏｎｇ  ＤＲＸと決定する。
【００９６】
基地局２は、ＨＯ完了期間において、移動局に、Ｌｏｎｇ  ＤＲＸに移ることを指示する信号（Ｅａｒｌｙ  ＤＲＸ  Ｃｏｎｔｒｏｌ  Ｓｉｇｎａｌｉｎｇ）を送信し、ＨＯ完了後すぐに移動局のＤＲＸ制御を開始する。
【００９７】
移動局は、Ｃｅｌｌ  ２からＣｅｌｌ  ３、Ｃｅｌｌ  ３からＣｅｌｌ  ４へ順に、ＨＯを行うが、Ｃｅｌｌ  １からＣｅｌｌ  ２へのＨＯと同様に、各基地局は、ＨＯ完了期間において、すぐに移動局をＬｏｎｇ  ＤＲＸへ移し、ＤＲＸ制御を開始する。これにより、ＨＯ後のセルにおける移動局の余分な電力消費を低減することができる。
【００９８】
図７に、ＡｃｔｉｖｅからＤＲＸへの遷移時間が１分であり、移動局が３０分間データ送受信を断続的に行うことを想定した場合の、３０分間にＤＲＸに滞在する時間を示す。なお、ＨＯに要する時間は数１０ｍｓｅｃでセル滞在時間に比べ十分短いため、この時間は無視して算出している。
【００９９】
また、移動局は、ＨＯ先でも、そのデータ送受信状況が、ＤＲＸで制御される程度のものであるものとする（Ａｃｔｉｖｅに維持する必要はない）。さらに、移動局は、各セル内においてセル中心を通り直径と同じ距離だけ移動するものとする。また、各Ｃｅｌｌは、互いに境界を接して並置され、移動局は、複数セルの直径に沿った一直線上を、等速度で進行するというモデルを想定している。
【０１００】
本発明を用いる場合、移動局のＤＲＸレベルをＨＯ完了直後（例えば数ｍｓ後）にソースセルと同じＤＲＸレベルに移す。
【０１０１】
図７において、例えば移動局の移動速度が１２０ｋｍ／ｈでセル直径が１２ｋｍの場合、各セルに滞在する時間は６分、ＨＯ回数は４回で、５セルにまたがって滞在する。
【０１０２】
前述したように、図１３の例では、基地局が持つタイマーが切れたことをトリガとして、ＡｃｔｉｖｅからＤＲＸへ遷移させるため、３０分の間に、ＤＲＸに滞在する時間は、２５（＝（６−１）×５）分となる。
【０１０３】
本実施例では、ＨＯ完了期間で移動局をＤＲＸに移すことができるため、３０分の間にＤＲＸに滞在する時間は、初めのセルに滞在していたときの５（＝６−１）分と、ＨＯ後の各セルでの２４（＝４×６）分の計２９分となる。
【０１０４】
この結果、本発明によれば、図１３の実施形態の場合（２５分）と較べ、ＤＲＸ滞在期間は、＋４分の増加となる。そして、ＤＲＸ滞在期間の増分に比例して、移動局の消費電力を低減することができる。
【０１０５】
一方、移動速度が６０ｋｍ／ｈでセル直径が１ｋｍの場合、各セルに滞在する時間は１分でＨＯ回数は２９回で、３０セルにまたがって滞在する。
【０１０６】
図１３の例では、各セルの滞在時間とＡｃｔｉｖｅからＤＲＸへの遷移時間が同じ１分であるため、移動局は、３０分間ずっと、ＤＲＸに移ることはない。すなわち３０分間ずっと、Ａｃｔｉｖｅのままである。
【０１０７】
本実施例によれば、ＨＯの完了により、ただちに、移動局をＤＲＸ（例えばＬｏｎｇ  ＤＲＸ等）に移すことができ、ＨＯ後の各セルでも、ＤＲＸに滞在することができる。このため、３０分の間に最大ＤＲＸに滞在する時間は、初めのセルに滞在していたときの０（＝１−１）分と、ＨＯ後の各セルでの２９（＝１×２９）分の計２９分となる。
【０１０８】
この結果、本発明により得られるＤＲＸ滞在期間は、図１３に示した場合と比べて、＋２９分の増加となり、さらに移動局の消費電力を低減することができる。
【０１０９】
＜第２の実施例＞
図８、図９は本発明の第２の実施例を説明するための図である。本発明の第２の実施例として、ドーマンシ・コンテキスト（ＤＯＲＭＡＮＣＹ  ＣＯＮＴＥＸＴ）に現在のＤＲＸレベルＬＯＬＤと現在のＤＲＸレベルに滞在した時間Ｔを用いて、式（１３）、（１４）（上式（２）、（３）と同一）により、ターゲットセルにおけるＨＯ完了期間における移動局のＤＲＸレベルを決定する場合の例を示す。
0005413991.tif 000014
【０１１０】
0005413991.tif 000015
【０１１１】
なお、Ｔ０は予め定義した閾値で、ＭＴはマージンである。また、Ｍ１＝−４０％、Ｍ２＝０％とし、ＤＲＸレベルが負の値になった場合には０に置き換える。
【０１１２】
本実施例において、移動局のＤＲＸレベルが、
１００％のときを「Ａｃｔｉｖｅ」、
６０％のときを「Ｓｈｏｒｔ  ＤＲＸ」、
２０％のときを「Ｌｏｎｇ  ＤＲＸ」、
０％のときを「Ｉｄｌｅ」
と呼ぶ。前述したように、ＤＲＸレベルが１００％以下、例えば９０％のときを「Ａｃｔｉｖｅ」と定義してもよい。例えば「Ｓｈｏｒｔ  ＤＲＸ」による制御では、ＤＲＸサイクルにおける非受信期間の割合が、「Ｌｏｎｇ  ＤＲＸ」の非受信期間の割合よりも短く設定される。
【０１１３】
ここで、各セルと基地局の関係として、Ｃｅｌｌ  １、２、３、４を基地局１、２、３、４がそれぞれ管理するものとし、移動局はＣｅｌｌ  ２、３、４においてＨＯ動作以外のデータ送受信を行わないものとする。
【０１１４】
本実施例において、基地局間ＨＯを行った場合のＤＲＸレベルの変化が、図８のようになったものとする。
【０１１５】
初期状態として、高速移動をしている移動局がＣｅｌｌ  １に滞在し、ＬｏｎｇＤＲＸであるとする。また、この移動局がＣｅｌｌ  １でＬｏｎｇ  ＤＲＸに滞在している時間Ｔ１がＴ０以上であるとする。
【０１１６】
Ｃｅｌｌ  ２へ基地局間ＨＯを行うとき、この移動局は、Ａｃｔｉｖｅになり、ＨＯ動作を行う。
【０１１７】
本実施例では、ＨＯ完了期間のターゲットセルにおける移動局のＤＲＸレベルをソースセルでのＤＲＸレベルにマージンを加えた値とするため、ＨＯ完了期間のＣｅｌｌ  ２における移動局のＤＲＸレベルＬＮＥＷ、２は、Ｃｅｌｌ  １におけるＤＲＸレベル  ＬＯＬＤ、１＝２０％にマージンＭＴ＝Ｍ１＝−４０％を加え、０  ％（実際は−２０％だが、負は０に置き換える）、つまりＩｄｌｅ状態に移すことを決定する。
【０１１８】
基地局２は、ＨＯ完了期間において移動局にＩｄｌｅ状態に移ることを指示する信号（Ｅａｒｌｙ  ＤＲＸ  Ｃｏｎｔｒｏｌ  Ｓｉｇｎａｌｉｎｇ）を送信する。
【０１１９】
これにより、移動局はＣｅｌｌ  ２からＣｅｌｌ  ３、Ｃｅｌｌ  ３からＣｅｌｌ  ４へ順にＨＯを行う必要がなく、移動局の余分な電力消費を低減することができる。
【０１２０】
また、ネットワーク（ＮＷ）は、移動局の不必要なＨＯを繰り返すことによる負荷の増加を回避することができる。
【０１２１】
図９に、ＡｃｔｉｖｅからＬｏｎｇ  ＤＲＸへの遷移時間が１分であり、Ｌｏｎｇ  ＤＲＸからＩｄｌｅへの遷移時間が５分であることを想定した場合の、移動局がＩｄｌｅになるまでに繰り返すＨＯの回数を示す。
【０１２２】
なお、ＨＯに要する時間は約数１０ｍｓｅｃでありセル滞在時間に比べ十分短いため、この時間は無視して算出している。
【０１２３】
また、初期状態として、初めに滞在するセルで移動局はＬｏｎｇ  ＤＲＸであり、次のセルへのＨＯは必ず行うものとし、観測時間を３０分とする。
【０１２４】
さらに、移動局は、各セル内においてセル中心を通り直径と同じ距離だけ移動するものとする。本発明を用いる場合、ＨＯ完了直後（例えば数ｍｓ後）にソースセルと同じＤＲＸレベルにマージンを加えた値に決定する。
【０１２５】
本実施例では、最大ＤＲＸに滞在する時間が５分未満の場合にはＬｏｎｇ  ＤＲＸとし、５分以上の場合には、負のマージンを加えＩｄｌｅ状態（ＲＲＣ＿Ｉｄｌｅ）に移すものとする。
【０１２６】
図９において、例えば移動局の移動速度が１２０ｋｍ／ｈでありセル直径が１２ｋｍの場合、各セルに滞在する時間は６分となり、ＨＯは、初めの１回のみで、２セルにまたがって滞在する。
【０１２７】
従来の技術では、基地局が持つタイマーが切れたことをトリガとしてＡｃｔｉｖｅからＬｏｎｇ  ＤＲＸへ、またはＬｏｎｇ  ＤＲＸからＩｄｌｅへ遷移するため、２番目のセルにおいて１分後に、Ｌｏｎｇ  ＤＲＸとなり、さらに５分後に、Ｉｄｌｅになる。
【０１２８】
本発明によれば、ＨＯ完了期間で移動局をＬｏｎｇ  ＤＲＸへ移すことができ、その後５分で、移動局をＩｄｌｅへ移すため、ＨＯ回数は同じく１回である。
【０１２９】
図１３に示した例では、Ｌｏｎｇ  ＤＲＸになるまでに１分間要するのに対し、本実施例によれば、１分を待たずに、わずか、数ｍｓでＬｏｎｇ  ＤＲＸに移すことによる移動局の消費電力を低減することができる。
【０１３０】
次に、移動速度が６０ｋｍ／ｈであり、セル直径が１ｋｍの場合、各セルに滞在する時間は１分である。
【０１３１】
図１３に示した例では、Ｌｏｎｇ  ＤＲＸに移る前に、次のＨＯを行うため、観測期間３０分の間ずっとＨＯを繰り返し、ＨＯ回数は２９回となる。
【０１３２】
一方、本実施例によれば、初めのＨＯの直後（例えば数ｍｓ後）に移動局をＬｏｎｇ  ＤＲＸへ移すことができるため、ＨＯを繰り返しても、Ｌｏｎｇ  ＤＲＸに滞在する時間が加算され、ＨＯを５回繰り返した後で、Ｌｏｎｇ  ＤＲＸからＩｄｌｅへ移すことができる。
【０１３３】
従って、本発明によれば、図１３に示した例と比べて、ＨＯ回数の増減は、−２４回となり、移動局の消費電力の低減、およびネットワーク（ＮＷ）の負荷の低減が実現できる。
【０１３４】
上記のとおり、本発明により、ＤＲＸ動作を行う移動局の基地局間ＨＯにおける余分な電力消費や、ＮＷの負荷の増大を回避することができる。
【０１３５】
なお、ドーマンシ・コンテキスト（ＤＯＲＭＡＮＣＹ  ＣＯＮＴＥＸＴ）として、上記の他に、ソース基地局の最大送信バッファサイズ、ソースセル基地局の平均バッファサイズ等を用いてもよい。ソースセル基地局における平均バッファサイズ等は、定期的なポーリングによる送信バッファサイズの監視結果、あるいは送信バッファへのデータ蓄積時のイベント発生に基づく送信バッファサイズのログ結果等から算出される。
【０１３６】
また、ＨＯ後のターゲットセル内のＤＲＸ制御として、以下に記載する手法法を用いてもよい（図１０参照）。
【０１３７】
移動局と基地局がＲＲＣ接続を確立している（ＲＲＣ＿Ｃｏｎｎｅｃｔｅｄ  ｓｔａｔｅ）ことを前提とし、移動局が一定時間ＴＤにデータ送受信をしていない場合、その移動局のＤＲＸレベルを式（１５）のように低くする。
0005413991.tif 000016
【０１３８】
反対に、移動局が一定時間ＴＵにデータ送受信を継続している場合、その移動局のＤＲＸレベルを式（１６）のように高くする。
0005413991.tif 000017
【０１３９】
なお、このＤＲＸ制御を実現する方法として、
・基地局がＬＮＥＷを決定し、移動局へＬＮＥＷを通知する方法と、
・基地局が移動局へ、ＤＬ、ＴＵ、ＴＤを通知し、基地局と移動局のそれぞれでＬＮＥＷを決定する方法
のいずれを用いてもよい。
【０１４０】
なお、このＤＲＸ制御方法は、ＨＯ後の移動局に対してだけでなく、ある１つのセル内に滞在する移動局についても適用が可能である。
【０１４１】
上記実施例では、ＡｃｔｉｖｅからＬｏｎｇ  ＤＲＸへの遷移時間を１分としたが、ＡｃｔｉｖｅからＬｏｎｇ  ＤＲＸへの遷移時間が長くなるのに応じて、本発明の効果が顕著となる。なお、本発明においては、移動局が下りリンクの連続受信に入って、一定期間データの送信がない場合に、ＤＲＸ（間欠受信）に入らずに、ＲＲＣ＿ＩＤＬＥ状態になる場合もある。
【０１４２】
図１４は、図１及び図２に示した実施例の基地局の構成の一例を模式的に示す図である。図１、図２におけるソース基地局（１０１）とターゲット基地局（１０２）は同一構成とされており、このため、図１４には、ソース基地局のみの構成が示されている。図１４を参照すると、不図示の送信部と受信部を備えた無線部（ＲＦ）１０５と、ベースバンド処理を行うベースバンド部１０６と、送信データの符号化、受信データの復号化を行う符号化／復号化部（ＣＯＤＥＣ）１０７と、制御部１０８と、ターゲット基地局と有線で通信する送信／受信部１０９と、ＤＲＸレベルを導出するＤＲＸコントローラ１１０と、バッファ部１１１と、送信する制御信号の符号化、受信制御信号の復号化を行う符号化／復号化部１１２とを備えている。
【０１４３】
制御部１０８は、符号化／復号化部（ＣＯＤＥＣ）１０７、ＤＲＸコントローラ１１０の動作を制御するスケジューラ１０８−１と、送信／受信部１０９を制御するコントローラ１０８−２を備えている。バッファ部１１１は、送信データを蓄積する送信バッファ（不図示）と受信データを蓄積する受信バッファ（不図示）を備えている。ＤＲＸコントローラ１１０は、バッファ部１１０の送信バッファに蓄積されるデータを監視し、移動局のＡｃｔｉｖｉｔｙレベルを導出し、前述したように、Ａｃｔｉｖｉｔｙレベルそのもの、あるいは、Ａｃｔｉｖｉｔｙレベルに対する演算等により求められＡｃｔｉｖｉｔｙレベルと相関関係を有するＤＲＸレベルを導出する。スケジューラ１０８−１は、例えばＤＲＸコントローラ１１０に対して送信バッファの監視タイミングを通知する。
【０１４４】
ＤＲＸコントローラ１１０からのＤＲＸレベルを取得したコントローラ１０８−２は、ＤＲＸ制御を行う場合、信号（ＤＲＸ  Ｃｏｎｔｒｏｌ  Ｓｉｇｎａｌｉｎｇ）を移動局に送信するように制御する。制御部１０８からの制御信号は符号化／復号化部１１２で符号化され、ＤＲＸ  Ｃｏｎｔｒｏｌ  Ｓｉｇｎａｌｉｎｇに対応する制御信号が生成され、ベースバンド処理され、無線部１０５から移動局に無線送信される。コントローラ１０８−２は、ＤＲＸコントローラ１１０からのＤＲＸレベルを含むドーマンシ・コンテキスト（ＤＯＲＭＡＮＣＹ  ＣＯＮＴＥＸＴ）のほか、ＱｏＳ  Ｐｒｏｆｉｌｅ  Ａｓ  Ｃｏｎｆｉｇｕｒａｔｉｏｎを含むコンテキストデータ（Ｃｏｎｔｅｘｔ  Ｄａｔａ）を、送信／受信部１０９を介して、ターゲット基地局に送信する。また、コントローラ１０８−２は、送信／受信部１０９を介して、ターゲット基地局から信号（Ｃｏｎｔｅｘｔ  Ｃｏｎｆｉｒｍ、ＨＯ  Ｃｏｍｐｌｅｔｅｄ等）を受信した場合、スケジューラ１０８−１に通知し、当該イベント発生に対応して、スケジューラ１０８−１が次の処理をスケジューリングする。
【０１４５】
本発明において、移動局として３ＧＰＰ−ＬＴＥ携帯端末を用いることもできる。前述したように、基地局側で移動局のＡｃｔｉｖｉｔｙレベルを検出しＤＲＸレベルを導出してもよいし、あるいは、移動局側で移動局のＡｃｔｉｖｉｔｙレベルを検出し、基地局に通知する構成としてもよい。図１５は、本発明の通信端末の一実施例をなす移動局の構成の一例を示す図である。図１５を参照すると、移動局（通信端末）１０３において、Ａｃｔｉｖｉｔｙレベルコントローラ（Ａｃｔｉｖｉｔｙ  Ｌｅｖｅｌ  ＣＴＲＬ）１２６は、バッファ部１２４の送信バッファの蓄積状態をモニタしてＡｃｔｉｖｉｔｙレベルを算出する。制御部１２５は、不図示のスケジュール部を備え、バッファ部１２４の送信バッファの蓄積状態の監視の制御を行う。Ａｃｔｉｖｉｔｙレベルは、例えば制御制御信号として、基地局に送信され、基地局では、移動局から受信したＡｃｔｉｖｉｔｙレベルに基づきＤＲＸレベルを導出し、ＤＲＸ制御を行うようにしてもよい。移動局１０３において、ＤＲＸサイクルの非受信期間には、ＲＦ部１２１のＲＦ受信部（不図示）をインアクティブに設定する。なお、ベースバンド部１２２、ＣＯＤＥＣ１２３、１２７等の説明は省略する。
【０１４６】
図１６は、本発明の通信端末の他の実施例をなす移動局の構成の一例を示す図である。この実施例の移動局（通信端末）は、図１５のＡｃｔｉｖｉｔｙレベルコントローラのかわりに、ＤＲＸレベルコントローラ（ＤＲＸ  Ｌｅｖｅｌ  ＣＴＲＬ）１２８を備えている。ＤＲＸレベルコントローラ１２８は、バッファ部１２４の送信バッファ（不図示）の蓄積状態をモニタしてＡｃｔｉｖｉｔｙレベルを算出し、Ａｃｔｉｖｉｔｙレベルにしたがって、ＤＲＸレベルを導出する。そして、得られえたＤＲＸレベルにしたがって、自律的にＤＲＸ制御を行う。ＤＲＸ制御へ移行する場合、ＤＲＸレベル、ＤＲＸ制御を開始したこと等を制御信号で基地局に送信し、基地局では、移動局がＤＲＸ制御を開始したことを記録管理する。
【０１４７】
次に、本発明のさらに別の実施例として、３ＧＰＰ  ＬＴＥとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）のデュアル対応の移動局を例に説明する。図１７は、本発明の別の実施例を説明する模式図である。図１７（Ｂ）は、図１７（Ａ）の基地局制御局（ＲＮＣ：「無線ネットワーク制御装置」ともいう）４のドーマンシコントール部の構成を示す図である。第１のＬＴＥ基地局１から第２のＬＴＥ基地局２に少なくともドーマンシ・コンテキスト（Ｄｏｒｍａｎｃｙ  Ｃｏｎｔｅｘｔ）が転送され、第１のＬＴＥ基地局１でのＤＲＸレベルに応じて、第２のＬＴＥ基地局２で、直ちにＤＲＸ制御を行う。第２のＬＴＥ基地局２から、ＷＣＤＭＡの基地局５にハンドオーバーする場合、第２のＬＴＥ基地局２から基地局制御局（ＲＮＣ）４へ少なくともドーマンシ・コンテキスト（Ｄｏｒｍａｎｃｙ  Ｃｏｎｔｅｘｔ）が転送され、基地局制御局４から基地局５へＤＲＸレベルが送信され、ハンドオーバー前の３ＧＰＰ−ＬＴＥ基地局での移動局の活動状況に応じて、ＷＣＤＭＡ基地局５は、移動局３のＤＲＸ制御を行う。基地局制御局４は、図１７（Ｂ）に示すように、ＬＴＥ基地局からのドーマンシ・コンテキスト（Ｄｏｒｍａｎｃｙ  Ｃｏｎｔｅｘｔ）を送受信インタフェース４１を介して受け取り、送受信インタフェース４２を介して配下のＷＣＤＭＡ基地局５に送信するドーマンシ・コントロール中継部４４を備えている。
【０１４８】
なお、ＷＬＡＮ（Ｗｉｒｅｌｅｓｓ  Ｌｏｃａｌ  Ａｒｅａ  Ｎｅｔｗｏｒｋ）のアクセスポイント（ＡＰ）間のハンドオーバー、ＷｉＭＡＸ（Ｗｏｒｌｄｗｉｄｅ  ｉｎｔｅｒｏｐｅｒａｂｉｌｉｔｙ  ｏｆ  Ｍｉｃｒｏｗａｖｅ  Ａｃｃｅｓｓ）の基地局間のハンドオーバーにも本発明を適用できることは勿論である。
【０１４９】
さらに、無線通信自在な第１、第２のノードが相対的に移動自在とされ、第２のノードが第１のノードを管理する状態から、無線通信自在な第１、第３のノード（第２のノードと通信接続）が相対的に移動自在とされ、第３のノードが第１のノードを管理する状態に移行する場合の第１のノードの間歇受信を制御する場合にも適用できる。
【０１５０】
図１９は、本発明の一実施形態の変形例における基地局間ハンドオーバーの流れを説明するための図である。図１に示した前記実施形態では、ターゲット基地局１０２がソース基地局１０１にハンドオーバー完了を伝える信号（ＨＯ  Ｃｏｍｐｌｅｔｅｄ）を送信した後、移動局１０３に対して、ＤＲＸ制御の開始を指示する信号（Ｅａｒｌｙ  ＤＲＸ  Ｃｏｎｔｒｏｌ  Ｓｉｇｎａｌｉｎｇ）が送信しているが、この信号（Ｅａｒｌｙ  ＤＲＸ  Ｃｏｎｔｒｏｌ  Ｓｉｇｎａｌｉｎｇ）を送る代わりに、例えば図１９に示すように、ターゲット基地局１０２からソース基地局１０１へ送信される信号（Ｃｏｎｔｅｘｔ  Ｃｏｎｆｉｒｍ）と、ソース基地局１０１から移動局１０３へ送信されるコマンド（ＨＯ  Ｃｏｍｍａｎｄ）にＤＲＸ制御情報（例えば、ＤＲＸレベル、ＤＲＸサイクル等で、Ｅａｒｌｙ  ＤＲＸ  Ｃｏｎｔｒｏｌ  Ｓｉｇｎａｌｉｎｇの内容と等価な内容）を含めることで、ＤＲＸ制御情報を、移動局１０３へ送るようにしてもよい。すなわち、図１９において、ターゲット基地局１０２は、ソース基地局１０１からＣｏｎｔｅｘｔ  Ｄａｔａを受信すると、Ｃｏｎｔｅｘｔ  Ｄａｔａに含まれるＤｏｒｍａｃｙ  Ｃｏｎｔｅｘｔに基づきＤＲＸ選択処理（ＤＲＸ  Ｓｅｌｅｃｔｉｏｎ）を実行し、選択したＤＲＸ制御情報（Ｎｅｗ  ＤＲＸ制御情報）を、信号（Ｃｏｎｔｅｘｔ  Ｃｏｎｆｉｒｍ）にてソース基地局１０１に送信する。ソース基地局１０１は、ＤＲＸ制御情報（Ｎｅｗ  ＤＲＸ制御情報）をコマンド（ＨＯ  Ｃｏｍｍａｎｄ）にて移動局１０３に送信する。該信号（Ｃｏｎｔｅｘｔ  Ｃｏｎｆｉｒｍ）を受信した移動局１０３は、ターゲット基地局１０２に対して信号（ＨＯ  Ｃｏｎｆｉｒｍ）を送り、ターゲット基地局１０２から、該信号（ＨＯ  Ｃｏｎｆｉｒｍ）が正しく受信されたことを示す応答が帰ってきた後、ただちに、ＤＲＸを開始する。
【０１５１】
移動局のバッテリの適正な消費を可能とするため、Ｅ−ＵＴＲＡＮ（Ｅｖｏｌｖｅｄ  ＵＴＲＡＮ）におけるＤＲＸは、下記を特徴とする。
【０１５２】
ＤＲＸの異なるレベルを区別するためのＲＲＣやＭＡＣ（Ｍｅｄｉｕｍ  Ａｃｃｅｓｓ  Ｃｏｎｔｒｏｌ）のサブステート（サブ状態）は存在しない。
【０１５３】
利用可能なＤＲＸの値は、ネットワーク（ＮＷ）によって制御され、非ＤＲＸからｘ秒間まで存在する。値ｘはＬＴＥ＿ＩＤＬＥで使用されるページング（ｐａｇｉｎｇ）ＤＲＸと同じくらいかもしれない（なお、具体的な値は今後の検討課題であり、本明細書では規定しない）。
【０１５４】
測定要求とレポート基準は、ＤＲＸ期間の長さに応じて異なってもよい。つまり、長いＤＲＸ期間は、より緩和された要求に対応するものであってもよい。
【０１５５】
ネットワーク（ＮＷ）は移動局（ＵＥ）に、サービング（Ｓｅｒｖｉｎｇ  ｃｅｌｌ）の無線品質（無線品質の正確な定義はＦＦＳ）が閾値を上回っている場合、隣接セル（Ｎｅｉｇｈｂｏｕｒｉｎｇ  ｃｅｌｌ）の測定（ｍｅａｓｕｒｅｍｅｎｔ）を行わなくてもてよいということを示す当該閾値を送るかもしれない。
【０１５６】
ＤＲＸサイクルに関係なく、移動局（ＵＥ）は、測定報告（ＵＬ  ｍｅａｓｕｒｅｍｅｎｔ  ｒｅｐｏｒｔ）を送るために、最初に利用可能なＲＡＣＨの機会を使用するかもしれない。測定報告（Ｍｅａｓｕｒｅｍｅｎｔ  ｒｅｐｏｒｔ）を送った直後に、移動局（ＵＥ）は自身のＤＲＸ動作を変えるようにしてもよい（その方法がｅＮＢによって予め規定されるかどうかは、今後の検討課題である）。
【０１５７】
上りリンクデータ送信に関するＨＡＲＱ処理は、ＤＲＸ処理とは独立である。ＤＬデータのＨＡＲＱ処理がＤＲＸ処理と独立がどうかは今後の検討課題である。
【０１５８】
ハンドオーバーの間、ソースｅＮＢは、ハンドオーバーの前後のＤＲＸ制御の継続を最適化するために、ターゲットｅＮＢへドーマンシ・コンテキスト（Ｄｏｒｍａｎｃｙ  ｃｏｎｔｅｘｔ）を転送する。ドーマンシ・コンテキスト（Ｄｏｒｍａｎｃｙ  ｃｏｎｔｅｘｔ）は、少なくとも、最新のＤＲＸレベル、ソースセルでの平均／最大／最小のＤＲＸレベルを含む。ターゲットｅＮＢは、ＵＥがソースｃｅｌｌで低いＤＲＸレベルに滞在していたならば、ＵＥの状態をＬＴＥ＿ＩＤＬＥへ移すといった処理にもドーマンシ・コンテキスト（ｄｏｒｍａｎｃｙ  ｃｏｎｔｅｘｔ）を使用することができる。
【０１５９】
以上、本発明を上記実施例に即して説明したが、本発明は上記実施例の構成にのみ制限されるものでなく、本発明の範囲内で当業者であればなし得るであろう各種変形、修正を含むことは勿論である。
【０１６０】
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。
【符号の説明】
【０１６１】
１、２  ＬＴＥ基地局
３、１０３  移動局
４  基地局制御局
５  ＷＣＤＭＡ基地局
４１、４２  送受信インタフェース
４３  制御部
４４  ドーマンシ・コントロール中継部
１０１  ソース基地局
１０２  ターゲット基地局
１０４  ＭＭＥ／ＵＰＥ
１０５  無線部
１０６  ベースバンド部
１０７、１１２  符号化／復号化部
１０８  制御部
１０８−１  スケジューラ
１０８−２  コントローラ
１０９  送信／受信部
１１０  ＤＲＸコントローラ
１１１  バッファ
１２１  無線部
１２２  ベースバンド部
１２３、１２７  符号化／復号化部
１２４  バッファ
１２５  制御部
１２６  Ａｃｔｉｖｉｔｙレベルコントローラ
１２８  ＤＲＸレベルコントローラ
【図１】
0005413991.tif 000018
【図２】
0005413991.tif 000019
【図３】
0005413991.tif 000020
【図４】
0005413991.tif 000021
【図５】
0005413991.tif 000022
【図６】
0005413991.tif 000023
【図７】
0005413991.tif 000024
【図８】
0005413991.tif 000025
【図９】
0005413991.tif 000026
【図１０】
0005413991.tif 000027
【図１１】
0005413991.tif 000028
【図１２】
0005413991.tif 000029
【図１３】
0005413991.tif 000030
【図１４】
0005413991.tif 000031
【図１５】
0005413991.tif 000032
【図１６】
0005413991.tif 000033
【図１７】
0005413991.tif 000034
【図１８】
0005413991.tif 000035
【図１９】
0005413991.tif 000036